(57)【要約】      （修正有）【課題】少ない力で、簡単に、かつ、安全にロールから切り離すことができるミシン目を構成するロール巻きされたプラスチックシートを提供する。【解決手段】ロール巻きされたプラスチックシートであって、プラスチックシートを幅方向に横断しているミシン目を有し、当該ミシン目は、プラスチックシートの幅方向の両端及び中央部のそれぞれに非切欠部２ａを有し、残りの部分が切欠部２ｂであり、非切欠部２ａのプラスチックシート幅方向における長さが０．５０〜１．５ｍｍであること特徴とする。【選択図】図２
0003199873.tif 000002
【実用新案登録請求の範囲】
【請求項１】
ロール巻きされたプラスチックシートの両端と中央部が０．５０〜１．５ｍｍの非切欠部のミシン目であり、残りの部分が切欠部であることを特徴とする。
【請求項２】
ロール巻きされたプラスチックシートの幅がさらに拡幅の場合は、
両端と中央部の間にさらに追加した最適な数の０．５〜１．５ｍｍの非切欠部のミシン目を設け、非切欠部合計の長さと切欠部合計の長さの割合を船体としてバランスさせることを特徴とする。
【考案の詳細な説明】
【技術分野】
【０００１】本考案は、ポロエチレンやポリプロピレンやポリエチレンテレフタレートなどのプラスチック材料のロール巻きされた連続筒状ポリ袋・片開きシート・１枚シートの切断用ミシン目に関する。
【背景技術】
【０００２】従来のシートのミシン目は図−１のように、切欠部１．５ｍｍと非欠部（つながっている）１ｍｍが交互に繰り返されているのが一般的である。【０００３】しかしながら、従来のミシン目では力を入れて片手で引っ張って切ることや、切断時の切りくずが多く異物混入の可能性や工場での生産時のミシン目カットの刃の辺りの調整が難しく時間がかかっていた。
【先行技術文献】
【特許文献１】特開２０１１−１３１９１２
【特許文献２】特開平１１−２９２０６７
【０００４】たとえば特許文献１（特開２０１１−１３１９１２）には、ロール巻きされた筒状のポリ袋シートから一袋分のシートを切断用ミシン目で切り取ることや開口を容易にする切断・開口補助機構を提供することが開示されているがミシン目の形状についての言及がない。
【０００５】たとえば特許文献２（特開平１１−２９２０６７）には、少ない力で容易にかつ安全に開封ができるミシン目を設けたプラスチックシートのミシン目の形状が記載されているが、切欠部の長さが０．１５ｍｍ−０．７５ｍｍで非切欠部の長さが０．１５ｍｍ−０．５ｍｍでの単なる繰り返しであり形状に特長がない。
【考案の概要】
【考案が解決しようとする課題】
【０００６】本考案は、以上のような従来の欠点に鑑み、ミシン目の非切開部と切開部組み合わせに特長をもたせた形状にすることで、少ない力で簡単にかつ安全でトラブルなくロールから切り離すことができる
ロール巻きされたプラスチックシートの改良されたミシン目を提供することを目的としている。
【課題を解決するための手段】
【０００７】上記目的を達成するために、本考案は、ロール巻きされたプラスチックシートの両端と中央部が０．５０〜１．５ｍｍの非切欠部のミシン目であり、残りの部分が切欠部であることを特徴とすることで改良されたミシン目を構成している。
【考案の効果】
【０００８】以上の説明から明らかなように、本考案に当っては次の列挙する効果が得られる。
（１）ロール巻きされたプラスチックシートの両端と中央部が０．５０〜１．５ｍｍの非切欠部のミシン目であり、残りの部分が切欠部であることを特徴とすることで構成されているので、今まで片手で引っ張っていたものが指２本でもつまんで軽く切り取れることができる。
したがって、少ない力で簡単にかつ安全でトラブルなくロールから切り離すことができる【０００９】（２）前記（１）によってシートの接続部が少なく切りくずがすくなくなり異物混入を少なくすることができる。【００１０】（３）前記（１）よってカットの刃が細かくなくなり、製造コストを安くすることができる。【００１１】（４）前記（１）よって製造時の刃のあたり調整が簡単になり生産スピードを速くすることができる。
【図面の簡単な説明】
【００１２】
【図１】従来のシートのミシン目の斜視図である。
【図２】本考案を実施するための最良の第１の形態の斜視図である。
【図３】案を実施するための最良の第２形態の斜視図である。
【図４】実施するための最良の第３形態の斜視図である。
【考案を実施するための形態】
【００１３】  以下、本考案の実施の形態を図に基づいて説明する。
【実施例１】
【００１４】図２は社内製造インフレ時加工品「１１００Ｐ」であり、ＨＤＰＥシート厚み０．０１５ｍｍ×幅５５０ｍｍ片開き×長さ１，０００ｍの斜視図であって１，１００ｍｍピッチでの改良されたミシン目形状の図であり、非切部が２−ａ切欠部が２−ｂである。
【実施例２】
【００１５】図３は社内製造インフレ時加工品「７５０Ｐ」であり、ＨＤＰＥシート厚み０．０１７ｍｍ×幅５５０ｍｍシングル×長さ１，０００ｍの斜視図であって７５０ｍｍピッチでの改良されたミシン目形状の図であり、非切部が３−ａ切欠部が３−ｂである。
【実施例３】
【００１６】図４は社外２次加工のシール＆ミシン目加工品「１６５０Ｐ」であり、ＨＤＰＥ厚み０．０１２ｍｍ×幅１３５０ｍｍのガゼット袋（上がり幅７５０ｍｍで折込みが片側３００ｍｍ）×長さ２５０ｍの斜視図であって１６５０ｍｍピッチでのミシン目形状の図であり、非切部が４−ａ切欠部が４−ｂである。
【産業上の利用可能性】
【００１７】本考案は、ポロエチレンやポリプロピレンやポリエチレンテレフタレートなどプラスチック材料のロール巻きされた連続筒状ポリ袋・片開きシートなど１枚シートを製造する産業で利用される。
【符号の説明】
【００１８】２−ａ，３−ａ，４−ａ：非切部、２−ｂ，３−ｂ，４−ｂ：切欠部
【図１】
0003199873.tif 000003
【図２】
0003199873.tif 000004
【図３】
0003199873.tif 000005
【図４】
0003199873.tif 000006
【手続補正書】
【提出日】平成27年6月12日(2015.6.12)
【手続補正１】
【補正対象書類名】実用新案登録請求の範囲
【補正対象項目名】全文
【補正方法】変更
【補正の内容】
【実用新案登録請求の範囲】
【請求項１】
ロール巻きされたプラスチックシートであって、プラスチックシートを幅方向に横断しているミシン目を有し、当該ミシン目は、プラスチックシートの幅方向の両端及び中央部のそれぞれに非切欠部を有し、残りの部分が切欠部であり、非切欠部のプラスチックシート幅方向における長さが０．５０〜１．５ｍｍであること特徴とするロール巻きされたプラスチックシート。
【請求項２】
ロール巻きされたプラスチックシートであって、プラスチックシートを幅方向に横断しているミシン目を有し、当該ミシン目は、プラスチックシートの幅方向の両端及び中央部のそれぞれに非切欠部を有し、当該両端と当該中央部との間に更に一又は複数の非切欠部を有し、残りの部分が切欠部であり、非切欠部のプラスチックシート幅方向における長さが０．５０〜１．５ｍｍであることを特徴とするロール巻きされたプラスチックシート。
【手続補正書】
【提出日】平成27年7月23日(2015.7.23)
【手続補正１】
【補正対象書類名】実用新案登録請求の範囲
【補正対象項目名】全文
【補正方法】変更
【補正の内容】
【実用新案登録請求の範囲】
【請求項１】
ロール巻きされたプラスチックシートであって、プラスチックシートを幅方向に横断しているミシン目を有し、当該ミシン目は、プラスチックシートの幅方向の両端及び中央部のそれぞれに非切欠部を有し、残りの部分が切欠部であり、非切欠部のプラスチックシート幅方向における長さが０．５０〜１．５ｍｍであること特徴とするロール巻きされたプラスチックシート。
【請求項２】
ロール巻きされたプラスチックシートであって、プラスチックシートを幅方向に横断しているミシン目を有し、当該ミシン目は、プラスチックシートの幅方向の両端及び中央部のそれぞれに非切欠部を有し、当該両端と当該中央部との間に更に一又は複数の非切欠部を有し、残りの部分が切欠部であり、非切欠部のプラスチックシート幅方向における長さが０．５０〜１．５ｍｍであることを特徴とするロール巻きされたプラスチックシート。